(57)【要約】【課題】浴槽形状に対する追従性が良く、どのような形状の浴槽にも設置できる入浴介助装置を提供する。【解決手段】入浴者が腰かけることのできる座部を浴槽内に昇降動可能に配設した入浴介助装置であって、座部は、上面に座面６ａを有する複数の短冊状硬質部材６，６，６で構成され、この複数の短冊状硬質部材６，６，６が、浴槽の対向する第１フランジ１５ａと第２フランジ１５ｂ間に掛け渡されたワイヤー１０ａ，１０ｂ，１１ａ，１１ｂで、それぞれフランジ１５ａ，１５ｂと平行状に連結されている。【選択図】図１
2009284994.tif 000002
【特許請求の範囲】
【請求項１】
入浴者が腰かけることのできる座部を浴槽内に昇降動可能に配設した入浴介助装置であって、
前記座部は、上面に座面を有する複数の短冊状硬質部材で構成され、
該複数の短冊状硬質部材が、浴槽の対向する第１フランジと第２フランジ間に掛け渡された可撓部材でそれぞれ前記フランジと平行状に連結されていること
を特徴とする入浴介助装置。
【請求項２】
前記複数の短冊状硬質部材の各側面には、互いに係脱可能に係合できる係合部が形成されていることを特徴とする請求項１に記載の入浴介助装置。
【請求項３】
前記複数の短冊状硬質部材の各側面に貫通孔を形成し、
該貫通孔内に前記対向する第１および第２のフランジ側からそれぞれ可撓部材を差し通し、
第１フランジ側から差し通した可撓部材の端部は、第２フランジ側に最も近い短冊状硬質部材に固定し、
第２フランジ側から差し通した可撓部材の端部は、第１フランジ側に最も近い短冊状硬質部材に固定したこと
を特徴とする請求項１または請求項２に記載の入浴介助装置。
【請求項４】
前記複数の短冊状硬質部材の座面上に１枚のクッション部材を面接合させたことを特徴とする請求項１または請求項２または請求項３に記載の入浴介助装置。
【発明の詳細な説明】
【技術分野】
【０００１】
本発明は、要介護者が良好に入浴できる入浴介助装置に関するものである。
【背景技術】
【０００２】
従来、この種の入浴介助装置として、特許文献１に開示されているようなものが存在し、この装置では、腰を掛けることのできる座部本体部と、座部本体部の左右側面から収納自在に突出する左右一対の進退部を備えて構成されている。
【特許文献１】特開２０００−２３７２７２号公報
【発明の開示】
【発明が解決しようとする課題】
【０００３】
上記従来の入浴介助装置では、座部本体部は１枚の板状に形成されたものであり、この入浴介助装置を取り付ける浴槽の形状によっては、座部本体を良好に浴槽内で昇降動させることが困難となる場合があり、対応できる浴槽が限られてしまうという問題点があった。
【課題を解決するための手段】
【０００４】
本発明は、あらゆる形状の浴槽に設置することができ、良好な使用感が得られる入浴介助装置の提供を目的とし、この目的を達成するために以下の手段を採った。
本発明は、入浴者が腰かけることのできる座部を浴槽内に昇降動可能に配設した入浴介助装置であって、前記座部は、上面に座面を有する複数の短冊状硬質部材で構成され、該複数の短冊状硬質部材が、浴槽の対向する第１フランジと第２フランジ間に掛け渡された可撓部材でそれぞれ前記フランジと平行状に連結されていることを要旨とする。
【発明の効果】
【０００５】
本発明の入浴介助装置では、複数の短冊状硬質部材を可撓部材で連結して構成されているため、浴槽内で昇降動させる際に、浴槽壁の形状に沿って良好に昇降動でき、浴槽形状に対する追従性が良いため、どのような形状の浴槽にも良好に設置することができるものとなる。また、変形しにくい硬質部材を用いているため、布製座面よりたわみにくく制御できる。
【０００６】
また、本発明の入浴介助装置において、前記複数の短冊状硬質部材の各側面には、互いに係脱可能に係合できる係合部が形成されている構成とすることもできる。
こうすれば、複数の短冊状硬質部材が係合部を介して係合することで座部の強度が向上し、入浴者が座部上に移乗する時等に人の体重を十分に支えることができ、また、複数の短冊状硬質部材が係合部を介して係合することで座面に段差が生ずることがなく、また、たわみを小さく抑えられ、移乗時の安定感が向上するものとなる。
【０００７】
また、本発明の入浴介助装置において、前記複数の短冊状硬質部材の各側面に貫通孔を形成し、該貫通孔内に前記対向する第１および第２のフランジ側からそれぞれ可撓部材を差し通し、第１フランジ側から差し通した可撓部材の端部は第２フランジ側に最も近い短冊状硬質部材に固定し、第２フランジ側から差し通した可撓部材の端部は第１フランジ側に最も近い短冊状硬質部材に固定した構成とすることもできる。
こうすれば、左右側から可撓部材を牽引きすることで、複数の短冊状硬質部材を強固に連結して１枚の板状にすることができ、たわみや段差を防いで移乗時の安定感を高めることができるものとなる。
【０００８】
また、本発明の入浴介助装置において、前記複数の短冊状硬質部材の座面上に１枚のクッション部材を面接合させた構成とすることもできる。
こうすれば、複数の短冊状硬質部材の動きを１枚のクッション部材で統率することで、座面のスムーズな動きが得られ、座面に段差が生じることがなく、安定した使用感が得られる。また、使用時にやさしい肌触り感が得られるものとなる。
【発明を実施するための最良の形態】
【０００９】
次に、本発明を実施するための最良の形態を実施例を用いて説明する。
図１は、入浴介助装置の概略構成を示すものである。
入浴介助装置１は、左右側に第１フレーム２と第２フレーム３が平行状に設けられており、この第１フレーム２と第２フレーム３間に、複数の短冊状硬質部材６，６，６がフレーム２，３と平行状に配置されている。
複数の短冊状硬質部材６，６，６はワイヤー１０ａ，１０ｂ，１１ａ，１１ｂ等の可撓部材で連結されており、ワイヤー１０ａ，１０ｂ，１１ａ，１１ｂを介して複数の短冊状硬質部材６，６，６が左右のフレーム２，３間に掛け渡し状に配置されている。
【００１０】
左右の第１フレーム２と第２フレーム３は、設置する浴槽の寸法に対応させて左右間隔を調整可能に構成されており、図３に示すように、浴槽１５の上面に外側へ突出状に形成されている第１フランジ１５ａと第２フランジ１５ｂ上に、それぞれ第１フレーム２および第２フレーム３を設置することができる。
【００１１】
各短冊状硬質部材６は、フレーム２，３と平行状に長手方向に延びる直方体ブロック状をなし、木材あるいは樹脂等の硬質材で形成されたものである。
図２に拡大して断面を示すように、その上面に平らな座面６ａが形成され、右側面６ｂおよび左側面６ｃが垂直方向に延びて、断面は縦長の略長方形状をなしている。この各短冊状硬質部材６の右側面６ｂの上下方向略中央部には、凹み状に係合凹部７が形成されており、また、左側面６ｃには、上下方向略中央部に、図示左側へ一体状に突出して係合凸部８が形成されている。
なお、図１における左端側の短冊状硬質部材６のみに、左側面６ｃにも凹み状に係合凹部７が形成されている。
【００１２】
また、各短冊状硬質部材６の上部部位には、右側面６ｂから左側面６ｃに向かって貫通状に貫通孔９，９が前後に一対形成されており、この貫通孔９，９内にワイヤー１０ａ，１０ｂ，１１ａ，１１ｂが差し通されている。
例えば、第１フレーム２の上面２ａには、前後方向に間隔をおいて一対の第１巻取軸４ａ，４ｂを同軸状に配置させておき、他方の第２フレーム３の上面３ａには、前後方向に間隔をおいて一対の第２巻取軸５ａ，５ｂを同軸状に配置させておく。この各巻取軸４ａ，４ｂ，５ａ，５ｂは、図示しないモーターおよび減速機等を介して回転されるものであり、第１巻取軸４ａ，４ｂと第２巻取軸５ａ，５ｂは、逆方向に同期して回転されるように構成されている。
【００１３】
第１巻取軸４ａ，４ｂには、それぞれ第１ワイヤー１０ａ，１０ｂが巻回されており、第１ワイヤー１０ａ，１０ｂは、第１巻取軸４ａ，４ｂ側から各短冊状硬質部材６の貫通孔９，９内を差し通されて、第２フレーム３側へ向かって延びており、第１ワイヤー１０ａ，１０ｂの第２フレーム３側（第２フランジ１５ｂ側）の端部は、図２に示すように、第２フレーム３に最も近い位置に配置された短冊状硬質部材６の左側面６ｃにワイヤー止め具１０ｃ，１０ｃを介しそれぞれ固定されている。
【００１４】
また、第２フレーム３上の第２巻取軸５ａ，５ｂには、第２ワイヤー１１ａ，１１ｂが巻回されており、第２ワイヤー１１ａ，１１ｂは、第２フレーム３側からそれぞれ短冊状硬質部材６の貫通孔９，９内を差し通されて、第１フレーム２側へ延びており、第２ワイヤー１１ａ，１１ｂの第１フレーム２側（第１フランジ１５ａ側）の端部は、第１フレーム２に最も近い位置に配置された短冊状硬質部材６の右側面６ｂにワイヤー止め具１１ｃ，１１ｃを介して固定されている。
なお、ワイヤー止め具１０ｃ，１１ｃは、ナットで締め付けて固定する形式の市販の止め具等で構成されている。
このようにワイヤー１０ａ，１０ｂ，１１ａ，１１ｂがそれぞれ複数の短冊状硬質部材６，６，６，６に形成された貫通孔９，９に差し通されて、複数の短冊状硬質部材６，６，６，６が連結支持されている。
【００１５】
なお、第１フレーム２の内側面２ｂに当接可能に第１突っ張り部材１２ａが配置されており、第２フレーム３の内側面３ｂに当接可能に第２突っ張り部材１２ｂが配置されている。この第１突っ張り部材１２ａおよび第２突っ張り部材１２ｂは、第１フレーム２および第２フレーム３の内側面２ｂ，３ｂに予め固定しておくこともでき、逆に、最も左右端側に配置された短冊状硬質部材６の係合凹部７内に予め嵌め込んでおくこともできる。
また、複数の短冊状硬質部材６，６，６の座面６ａ上には、ウレタンなどの素材で形成した１枚のクッション部材１３が接着されている。即ち、図３のように、複数の短冊状硬質部材６，６，６が水平状に連結された状態で、その上面の座面６ａに略水平となるように１枚のクッション部材１３が貼着されている。
【００１６】
次に、このように構成された入浴介助装置１の作用効果を説明する。
図示しないモーターを駆動させて、第１巻取軸４ａ，４ｂを時計方向に回転させ、逆に第２巻取軸５ａ，５ｂは反時計方向に回転させると、第１ワイヤー１０ａ，１０ｂには図示右方向への引っ張り力が加わり、逆に、第２ワイヤー１１ａ，１１ｂには図示左方向への引っ張り力が加わる。これにより、複数の短冊状硬質部材６，６，６が重ね合わされてゆき、各短冊状硬質部材６の係合凹部７内に隣接する短冊状硬質部材６の係合凸部８が係合し、図３のように、係合凹部７と係合凸部８の係合により強固に複数の短冊状硬質部材６，６，６が全体として水平状の１枚の板状に連結される。
【００１７】
この状態で、左右両端側の短冊状硬質部材６，６と第１フレーム２および第２フレーム３間には、それぞれ第１突っ張り部材１２ａと第２突っ張り部材１２ｂが当接されて、より強固に１枚の板状に複数の短冊状硬質部材６，６，６が連結一体化されることとなる。
この図３の状態では、クッション部材１３上に要介護者が腰を掛けることができ、腰掛けた状態で要介護者の体重が加わっても、複数の短冊状硬質部材６が強固に連結されているため撓むことがなく、良好に要介護者の体重を支えることができる。
【００１８】
なお、上面にはクッション部材１３が貼着されているため、要介護者が着座する時に、上面側に撓みや段差が生じることがなく、安定感が高まるものである。
要介護者がクッション部材１３上に腰を降ろした状態で、第１巻取軸４ａ，４ｂを反時計方向に回転させ、第２巻取軸５ａ，５ｂを時計方向に回転させると、徐々にワイヤー１０ａ，１０ｂ，１１ａ，１１ｂが弛み、図４のように、複数の短冊状硬質部材６，６，６からなる座部が湾曲状に撓んだ状態となる。
【００１９】
さらに、第１巻取軸４ａ，４ｂを反時計方向に回転させ、第２巻取軸５ａ，５ｂを時計方向に回転させてゆくと、複数の短冊状硬質部材６，６，６全体が浴槽１５の底側に向かって、図５のような状態で下降してゆく。
この時には、複数の短冊状硬質部材６の各係合凹部７から各係合凸部８が離脱してゆき、浴槽１５の側壁面の形状に追従して下面側が大きく湾曲してゆくが、各短冊状硬質部材６の上面の座面６ａは連結状態のまま湾曲し、要介護者の坐骨結節点を締め付けることがなく、要介護者を良好にホールドして、複数の短冊状硬質部材６が全体として湾曲状に変形されてゆく。即ち軟質素材のように曲がり過ぎることはない。
【００２０】
なお、この場合、複数の短冊状硬質部材６，６，６の各座面６ａはクッション部材１３により統率されて、段差が生ずることなくスムーズに湾曲状に変形されてゆく。そのため、要介護者は下降時に安定感が得られこととなる。
なお、要介護者が入浴を終えた時には、逆に第１巻取軸４ａ，４ｂを時計方向に回転させ、第２巻取軸５ａ，５ｂを反時計方向に回転させることで、浴槽の形状に対応させてスムーズに全体を上昇させてゆくことができ、やがては図３のように、複数の短冊状硬質部材６が１枚の水平な板状に連結されて、浴槽のフランジ１５ａ，１５ｂ上に掛け渡し状となる。
【００２１】
このように本例の入浴介助装置１では、昇降時に浴槽１５の形状に良好に追従して、座面に段差が生ずることなく、しかも、座っている要介護者を締め付けることなく、湾曲状に変形するため、要介護者は安心して使用することができるものとなる。
なお、座った時の良好な肌触り感を得るためには、クッション部材１３の上面に更に布製カバー等のクッション材を敷設しても良い。
また、第１および第２の突っ張り部材１２ａ，１２ｂと第１フレーム２および第２フレーム３との当接部位にゴム等のクッション材を介在させておいても良い。
【００２２】
なお、巻取軸４ａ，４ｂ，５ａ，５ｂの構造は本例のものに限定されるものではなく、水平面内で回転するローラー等に置き換えることもできる。
また、短冊状硬質部材６の形状も実施例のものに限定されるものではなく、係脱可能な係合部が形成されたものであれば良く、各短冊状硬質部材６の係合凹部７および係合凸部８よりも下方側の部分は切除したような形状のものであっても良い。
【００２３】
また、本実施例では、各短冊状硬質部材６の上部部位にワイヤー１０ａ，１０ｂ，１１ａ，１１ｂを差し通したが、ワイヤー１０ａ，１０ｂ，１１ａ，１１ｂは、各短冊状硬質部材６の中心部すなわち係合凹部７および係合凸部８を通るようにしても良い。この場合、より強固に固定でき、座面が安定する。
【図面の簡単な説明】
【００２４】
【図１】入浴介助装置の概略構成図である。
【図２】入浴介助装置を構成する短冊状硬質部材と、これを連結するワイヤーとの拡大概略構成図である。
【図３】入浴介助装置が最も上昇した時の状態図である。
【図４】入浴介助装置の下降開始時の状態図である。
【図５】さらに入浴介助装置が浴槽の底面側に下降した時の状態図である。
【符号の説明】
【００２５】
１  入浴介助装置
２  第１フレーム
２ａ  上面
２ｂ  内側面
３  第２フレーム
３ａ  上面
３ｂ  内側面
４ａ，４ｂ  第１巻取軸
５ａ，５ｂ  第２巻取軸
６  短冊状硬質部材
６ａ  座面
６ｂ  右側面
６ｃ  左側面
７  係合凹部
８  係合凸部
９  貫通孔
１０ａ，１０ｂ  第１ワイヤー（可撓部材）
１１ａ，１１ｂ  第２ワイヤー（可撓部材）
１２ａ，１２ｂ  突っ張り部材
１３  クッション部材
１０ｃ，１１ｃ  ワイヤー止め具
１５  浴槽
１５ａ  第１フランジ
１５ｂ  第２フランジ
【図１】
2009284994.tif 000003
【図２】
2009284994.tif 000004
【図３】
2009284994.tif 000005
【図４】
2009284994.tif 000006
【図５】
2009284994.tif 000007